Podtech/llm-jp-corpus-v4-ja_patent huggingface dataset:
(57)【要約】【課題】本発明は、簡単な構造で、分電盤の配線作業が容易にすることのできる分電盤を提供することを目的としている。【解決手段】本発明に係る分電盤１の構造は、分岐ブレーカ４の操作ハンドル５が左右方向に動作可能であるように、分岐ブレーカ４を基台２に配置し、分岐ブレーカ４の端子部６を分岐ブレーカ４の左右端部に設けたことを特徴とし、分電盤を天井の近くに設置する場合にも配線作業を容易にし、作業の効率を向上させると共に、確実な配線ができるようにした。【選択図】図１
2006345645.tif 000002
【特許請求の範囲】
【請求項１】
略長方形の基台上に主幹ブレーカと複数の分岐ブレーカ等の電気機器を載置し、該電気機器間を導電バーにより接続して構成される分電盤において、前記分岐ブレーカの操作ハンドルが左右方向に動作可能であるように、前記分岐ブレーカを基台に配置し、前記分岐ブレーカの端子部を前記分岐ブレーカの左右端部に設けたことを特徴とする分電盤。
【発明の詳細な説明】
【技術分野】
【０００１】
本発明は、略長方形の基台上に主幹ブレーカと複数の分岐ブレーカ等の電気機器を載置し、電気機器間を導電バーにより接続して構成される分電盤に関するものである。
【背景技術】
【０００２】
従来分電盤２１は、基台２２に分岐ブレーカ２３を配置する際、上下に操作ハンドル２４を動作させる方向に取り付けられていた。分岐ブレーカ２３の端子部２５も、分岐ブレーカ２３の上下端部に位置することになる。また、回路数が多い場合には分岐ブレーカ２３を二列に配列することもあった。
【非特許文献１】２００５  カワムラ  総合カタログ  電設資材編  平成１７年５月１日
【発明の開示】
【発明が解決しようとする課題】
【０００３】
図３に示すように、分電盤２１は住宅の壁面の天井に近い位置に取り付けられることがある。この時、特に分岐ブレーカ２３を二列に配列していると、上列の分岐ブレーカ２３の上側の端子部２５はかなり天井に近い位置になるため、作業者の頭が天井に当たり、分電盤２１の配線作業がしづらく作業性が非常に悪くなっていた。
【課題を解決するための手段】
【０００４】
そこで本発明は、簡単な構造で、分電盤の配線作業が容易にすることのできる分電盤を提供することを目的とし、その構造は、分岐ブレーカの操作ハンドルが左右方向に動作可能であるように、分岐ブレーカを基台に配置し、分岐ブレーカの端子部を分岐ブレーカの左右端部に設けたことを特徴とする。
【発明の効果】
【０００５】
本発明に係る分電盤は、分岐ブレーカの操作ハンドルが左右方向に動作可能であるように、分岐ブレーカを基台に配置し、分岐ブレーカの端子部を分岐ブレーカの左右端部に設けたため、分電盤を天井に近い位置に取り付けた場合にも、ブレーカへの配線は分電盤の左右で行うことができるため、作業性が良くなる。
【発明を実施するための最良の形態】
【０００６】
作業性を向上させるという目的を、最小の部品点数で、基台上の限られたスペースを有効に活用して実現した。
【実施例１】
【０００７】
本発明に係る分電盤の実施例を図１の添付図面に基づいて説明する。
【０００８】
分電盤１は略長方形の基台２に主幹ブレーカ３や分岐ブレーカ４等の電気機器を載置して構成される。本発明は特に分岐ブレーカ４の配置に関する。
【０００９】
分岐ブレーカ４には入切動作をさせるための操作ハンドル５が設けられている。操作ハンドル５の動作方向が左右になるように分岐ブレーカ４を配置する。分岐ブレーカ４の端部には、導電バー等が接続される端子部６が設けられるが、分岐ブレーカ４を操作ハンドル５の動作方向が左右になるように配置されると、端子部６は分電盤１の左側または右側に配置されることになる。
【００１０】
分電盤は、住宅の壁面に設置される。例えばドアの上などの狭い場所に設置する場合、天井いっぱいのところに分電盤の上端部が位置することがある。本発明に係る分電盤１では、分岐ブレーカ４の端子部６は分電盤１の左側または右側に配置されるため、天井が配線等の作業の邪魔になることもなく、容易に施工できる。
【産業上の利用可能性】
【００１１】
分岐ブレーカを分電盤に配置する時、分岐ブレーカの操作ハンドルが左右に動作できるような方向に置くので、端子部が分電盤の左右端部に配置され、分電盤を天井近くに設置する際に、施工性の良さを維持できる。
【図面の簡単な説明】
【００１２】
【図１】分電盤の実施例を示す説明図である。（実施例１）
【図２】分電盤の従来例を示す説明図である。
【図３】分電盤の従来例を示す説明図である。
【符号の説明】
【００１３】
１    分電盤
２    基台
３    主幹ブレーカ
４    分岐ブレーカ
５    操作ハンドル
６    端子部
【図１】
2006345645.tif 000003
【図２】
2006345645.tif 000004
【図３】
2006345645.tif 000005
(57)【要約】【課題】本発明は、簡単な構造で、安全な配線作業が行える分電盤を提供することを目的としている。【解決手段】本発明に係る分電盤１の構造は、ブレーカに接続される負荷の名称を表示した負荷名称表示板をブレーカ４の上面部に直接貼付または組み付けることを特徴とし、安全に配線作業が行えるようにすると共に、確実に負荷名称を表示することにより誤配線を防止し、従来のもののように別部品で負荷名称を表示する方法に比べて確実且つ正確な負荷名称が表示できる。【選択図】図１
2006345644.tif 000002
【特許請求の範囲】
【請求項１】
基台にブレーカ等の電気機器を配列して構成される分電盤において、前記ブレーカに接続される負荷の名称を表示した負荷名称表示板を前記ブレーカの上面部に直接貼付または組み付けることを特徴とする分電盤。
【発明の詳細な説明】
【技術分野】
【０００１】
本発明は、基台にブレーカ等の電気機器を配列して構成される分電盤に関するものである。
【背景技術】
【０００２】
分電盤３１は基台３２にブレーカ等の電気機器を配列し構成される。分岐ブレーカ３３は端子部３４より電線等により負荷となる器具へ配線される。分電盤３１には回路数分の分岐ブレーカ３３が配置されるので、配線間違い等を起こさないため、分岐ブレーカ３３がどの負荷に配線されるか示す負荷名称を表示する。基台３２の前面にはブレーカ３３の操作ハンドル３５が突出可能である操作孔３６を設けたカバー３７で施蓋する。
【０００３】
従来、図３に示すように、負荷名称表示板３８をカバー３７の操作孔近傍に、分岐ブレーカ３３に対応させて貼付または取りつけていた。
【０００４】
また、図４に示すようにカバー３７を外した時でも負荷名称の確認が可能であるように、負荷名称表示板３９を分岐ブレーカ３３の充電部４０の上に取り付けていた。カバー３７には負荷名称窓４１を形成し、カバー３７を施蓋した状態でも負荷名称の確認が可能である。
【非特許文献１】２００５  カワムラ  総合カタログ  電設資材編  平成１７年５月１日
【発明の開示】
【発明が解決しようとする課題】
【０００５】
しかしながら、上記従来の分電盤では、負荷名称表示板が別部品であるため、製造コストが上がるという欠点があった。また、別部品であるため、負荷名称表示板を分電盤に組み付ける時にはブレーカと負荷名称とが対応するように注意を払って作業しなくてはいけない。
【課題を解決するための手段】
【０００６】
そこで本発明は、簡単な構造で、安全な配線作業が行える分電盤を提供することを目的とし、その構造は、ブレーカに接続される負荷の名称を表示した負荷名称表示板をブレーカの上面部に直接貼付または組み付けることを特徴とする。
【発明の効果】
【０００７】
本発明に係る分電盤は、ブレーカに接続される負荷の名称を表示した負荷名称表示板をブレーカの上面部に直接貼付または組み付けるため、ブレーカの表示された負荷名称表示を確認しながら配線作業が行え、作業の効率も向上する。また、負荷名称表示板を別部品に構成しないので製造コストを抑えることができる。従来、別部品で負荷名称表示を行っていた時には、ブレーカと負荷名称がずれて表示されてしまうというような虞があったが、負荷名称表示は直接ブレーカに施すため、ずれが発生しなくなり、確実な結線が行える。
【発明を実施するための最良の形態】
【０００８】
分電盤において、負荷名称表示の間違いを低減し、作業の効率を向上させるという目的を、最小の部品点数でコストを引き上げることなく実現した。
【実施例１】
【０００９】
本発明に係る分電盤の実施例を図１〜図２の添付図面に基づいて説明する。
【００１０】
分電盤１の基台２には主幹ブレーカ３や分岐ブレーカ４等の電気機器を配置する。基台２の前面はカバー５で施蓋する。カバー５には基台２に配置されたブレーカの操作ハンドル６が突出可能である操作孔７を設け、カバー５を基台に組み付けた時、ブレーカの操作ハンドル６は前面に突出していて、カバー５をしたままブレーカを動作させることができる。
【００１１】
分岐ブレーカ４は略中央に操作ハンドル６を、両端部には端子部８が設けられる。操作ハンドル６の近傍には負荷名称９を表示する。図２においては、分岐ブレーカ４の端子部８が一方は段差がつけられ形成されていて、他方は段差がなくフラットな状態であるが、本発明に係る分電盤は特に場所を指定せず、本発明の趣旨を逸脱しない範囲において適宜変更可能である。
【００１２】
カバー５には操作孔７の近傍に表示窓１０を設け、カバー５を基台２に施蓋したときに、カバー５を閉じたままで、負荷名称９が確認可能である。
【産業上の利用可能性】
【００１３】
ブレーカの操作ハンドル近傍に負荷名称を表示することで、負荷名称表示板を別部品で形成することもなく、部品点数を低減することで製造コストと負荷名称表示板を取り付ける作業の手間を省くことができる。
【図面の簡単な説明】
【００１４】
【図１】本発明に係る分電盤の実施例を示した説明図である。（実施例１）
【図２】本発明に係る分電盤に用いられる分岐ブレーカの説明図である。（実施例１）
【図３】分電盤の従来例を示した説明図である。
【図４】分電盤の従来例を示した説明図である。
【符号の説明】
【００１５】
１    分電盤
２    基台
３    主幹ブレーカ
４    分岐ブレーカ
５    カバー
６    操作ハンドル
７    操作孔
８    端子部
９    負荷名称
１０  表示窓
【図１】
2006345644.tif 000003
【図２】
2006345644.tif 000004
【図３】
2006345644.tif 000005
【図４】
2006345644.tif 000006
(57)【要約】【課題】玄米は数々のすぐれた栄養学上の長所を有しているが、炊飯がむずかしく、圧力釜等の特殊な炊飯用具を用いなければ、十分に炊き上げることが困難であり、又、食味にも白米だけを用いた米飯に比べて劣っていた。【構成】白米と玄米とを容積比で５：５の割合で混合するか、白米と玄米と麦とを容積比で５：４：１の割合で混合して炊飯用米穀混合物とした。【選択図】  なし【特許請求の範囲】
【請求項１】
白米と玄米とを容積比で、５：５の割合に混合したことを特徴とする炊飯用米穀混合物。
【請求項２】
白米と玄米と麦とを容積比で、５：４：１の割合に混合したことを特徴とする炊飯用米穀混合物。
【発明の詳細な説明】
【技術分野】
【０００１】
この発明は炊飯用米穀混合物、詳しくは栄養的価値を減ずることなく、玄米をより喫食やすくした炊飯用米穀混合物に関するものである。
【背景技術】
【０００２】
玄米は健康の為に有効だとして、従来よりその喫食が広く推奨されている。しかしながら、玄米は白米に比べ著しく食味が劣り、炊飯にも特別な配慮が必要な為、そのすぐれた長所にもかかわらず、玄米食の普及はそれ程進んでいないのが実情である。
【特許文献１】なし
【非特許文献１】なし
【発明の開示】
【発明が解決しようとする課題】
【０００３】
栄養学的には数多くのすぐれた長所が認められている玄米を食べやすくする為の試みは、従来よりなされているが、その多くは玄米自体の加工改質、あるいは玄米用の炊飯用具の改良に関するものであり、前者の場合には当然コストアップが避けられず、後者の場合には玄米炊飯用圧力釜など特別な炊飯用具を用意しなければならず、コストアップや余分の手間を強いることになり、必ずしも満足すべきものではなかった。
【０００４】
本発明者は玄米食に関する上記従来の問題点を解決すべく研究を行った結果、白米と玄米との混合割合をある一定の数値に限定することにより、白米の場合と同様に通常の炊飯用具で炊飯出来、食味も良好でほとんど違和感なく通常の米飯と同様に食することが出来る様になることを発見し、この知見に基づいて炊飯用米穀混合物を開発することに成功し、本発明としてここに提案するものである。
【課題を解決するための手段】
【０００５】
本願請求項１に係る発明は、白米と玄米とを容積比で、５：５の割合に混合して炊飯用米穀混合物とすることにより、上記課題を解決した。白米と玄米とを容積比５：５の割合で混合したのは、この混合割合では圧力釜などの特殊な炊飯用具を用いることなく、通常の電気炊飯器などで何ら支障なく炊飯することが出来るからであり、食味においても白米１００％の米飯に比べ、それほど違和感を感じさせることがなく食することが出来る。更に、全体の半分が玄米なので、玄米の栄養学的なすぐれた長所を十分に享受することが出来る。本発明の場合と異なり、白米の割合を５０％以下にしたときは、白米の場合と同じ方法では炊飯に支障が生じ、圧力釜など用いて特に配慮した炊飯をしなければならないので、好ましくなく、逆に、白米の割合を５０％以上にしたときは、玄米の栄養学的メリットが減殺されてしまうので、同じく好ましくない。
【０００６】
一方、請求項２に係る発明は、白米と玄米と麦とを容積比で、５：４：１の割合に混合して炊飯用米穀混合物とすることにより、上記課題を解決した。この請求項２に係る発明においては、白米の割合が全体の５０％であるので、前記請求項１に係る発明と同様、通常の炊飯用具で炊飯することが出来る。又、玄米のほかに麦が含まれているので、玄米同様栄養学的にすぐれた長所を有する麦の効能をも享受することが出来る。なお、白米の割合を５０％以上とすると、玄米及び麦の栄養学的メリットが減殺されてしまう為、好ましくなく、逆に白米の割合を５０％未満にすると、炊飯に支障が生じる為、同様に好ましくない。
【発明の効果】
【０００７】
この発明においては、白米と玄米、あるいは白米と玄米と麦との混合割合をそれぞれ請求項１及び２の通りに限定したことにより、通常の白米を炊く要領でだれでも非常に手軽に炊き上げられ、又、一般の家庭用電気炊飯器には水の添加量を示した目盛りがあるので、この目盛りを目安にすれば、より簡単に炊き上げることが可能で、従来の玄米食の場合に比べ著しくコストと手間を省くことが出来、食味においても従来の玄米食に比べ著しく向上し、違和感なく食することが可能となった。又、玄米の栄養学的長所を十分に発揮されることが出来、より健康的な食生活の実現に資するすぐれた効果を有する。
【発明を実施するための最良の形態】
【０００８】
白米と玄米とを容積比で５：５の割合で混合し、あるいは白米と玄米と麦とを容積比で５：４：１の割合で混合する。
【実施例１】
【０００９】
白米と玄米とを体積比で５：５の割合で混合した混合体２合に水４６０ｃｃを加え、電気炊飯器にて約５０分間加熱した後、約１５分間蒸らし、炊き上げた。白米はもちろん玄米にも芯は残っておらず、白米１００％の場合と比べてそれほど違和感なく食することが出来た。
【実施例２】
【００１０】
白米と玄米と麦とを体積比５：４：１の割合で混合した混合体２合に水４６０ｃｃを加え、電気炊飯器で約５０分間加熱した後、約１５分間蒸らし、炊き上げた。白米、麦はもちろん玄米にも芯は残っておらず、通常の麦入り米飯の場合と比べてそれほど違和感なく食することが出来た。
【産業上の利用可能性】
【００１１】
一般家庭はもちろん、学校、病院、事業所など各種給食施設や食品産業において利用可能である。
(57)【要約】【課題】  伝統的な日本の和風味の典型である赤大豆味噌（八丁味噌を含む）の色、味、風味、香りを洋風の味の典型であるハム、ベーコンに取り入れ調和させた、食肉製品の製造方法を提供する。【解決手段】  ハム、ベーコンの製造方法は、ピックル液をインジェクションしてタンブリングを行い、３〜７日間安定させて静置して塩漬を行い、その後乾燥、燻煙、蒸煮を行い製造するが、その工程に八丁味噌等の赤大豆味噌を主原料とした調味液にて、二度漬けを行うことで得られる食肉製品の製造方法。【選択図】  図１
2006345725.tif 000002
【特許請求の範囲】
【請求項１】
ハム、ベーコンの製造法の塩漬工程を終えた後に、さらに八丁味噌に代表される赤豆味噌を主原料とする調味液で二度漬けを行うことで得られることを特徴とする和風ハム、ベーコンの製造法。
【発明の詳細な説明】
【技術分野】
【０００１】
本発明は、八丁味噌に代表される赤味噌、赤だし味噌を用いたハム、ベーコン製造法に関するものである。
【背景技術】
【０００２】
味噌の味をハム、ベーコンの調味料として使う場合には、漬込み用のピックル液に味噌、あるいはしょうゆを混ぜ合わせて、その液を肉にインジェクションして漬込んで仕上げる方法が一般的な製造方法である。
【発明の開示】
【発明が解決しようとする課題】
【０００３】
味噌は発酵食品である為に、ピックル液と混合して肉の中にインジェクション（注射）すると、発酵菌は生きている為に、乳酸発酵を起こしやすく、ハムに仕上ても保存性が悪い欠点がある。
味噌、しょうゆは塩分を多く含むために、ピックル液中に味、風味、を強くしようとして、味噌の量を多くすれば塩分が多くなりすぎ、塩分を調整すると味噌の特徴が出にくいという問題点があった。
ハム、ベーコンの適度の塩分を保ちながら、しかも八丁味噌の色、味、風味、香りの特徴を併せ持ったハム、ベーコンの製造方法を提供する。
【課題を解決するための手段】
【０００４】
一般的なハムの製造法に従ってピックル液で塩漬けを行い、ピックル液をしぼって取り除いた後に、八丁味噌に代表される赤豆味噌をみりん、酒で溶き、砂糖を加えて味を調えた液を加えて充分にミキシングを行い、１〜３日程の間に０〜１０℃で静置して、二度漬けを行う工程を入れることで課題の解決を図る。
【発明の効果】
【０００５】
中心部分に適度の塩味を保ちながら、表面、外側の２ｍｍ〜１０ｍｍ程度に八丁味噌の味、風味、香りの特徴を強く持ち、しかも表面部が乾燥、燻煙の効果で水分活性を下げるのと、燻煙の殺菌力によって保存性が高まった和風ハムと従来の洋風風味のハム、ベーコンの味を調和させた新しい味のハム、ベーコンの製造法を提供する。
【発明を実施するための最良の形態】
【０００６】
２ｋｇの豚ロース生肉に表１の配合表の割合のピックル液をインジェクションして、約３０分間タンブリングを行い、７日間０〜５℃の冷蔵庫にて塩漬けした後、肉塊だけを取り出し、八丁味噌０．１ｋｇに対しみりん１１０ｃｃ、砂糖０．１４ｋｇを充分に撹拌した溶液でタンブリングを行い、溶液と共に５℃前後の温度で２日間漬込みを行う。
漬込みが完了した肉塊をスモークハウスに吊り下げ乾燥、燻煙、蒸煮の工程を経て、冷蔵庫内にて一晩冷蔵して完成させる製造法。
【実施例】
【０００７】
【表１】
2006345725.tif 000003
【０００８】
豚ロース生肉１０ｋｇに対し、上記表１のピックル液をインジェクトし、液と共にタンブラーにて３０分間タンブリングを行う。
【０００９】
７日間５℃の冷蔵庫にて、ピックル液と共に静置する。
【００１０】
【表２】
2006345725.tif 000004
【００１１】
その後、漬込み液をよく切り、上記表２の溶液にてタンブリングを３０分間行い、溶液の残液と共に２日間漬込む。
【００１２】
取り出した肉塊をそのままスモークハウス内に吊り下げて、乾燥を約１時間かけて実施し、表面の乾燥具合を手で触っても表面が乾いた状態になっている事を確認し、燻煙を桜のチップにて約５０分間行い、庫内温度８０℃にて１時間蒸煮を行って、肉の中心温度が７０℃になっていることを確認し、冷蔵庫にて一晩冷却する。
【００１３】
この結果、出来上がったハムの表面から２〜１０ｍｍの部分に、八丁味噌の味、風味が強く出、中心部分には洋風のハムの味が保たれた製品ができる。このハムを薄くスライスして食すると、はじめに八丁味噌の特徴を強く感じ、次に中心部分のハムの味を感じる洋風、和風の調和したどちらかといえば和風のハムの製造が可能になった。
【図面の簡単な説明】
【００１４】
【図１】八丁味噌ハム、ベーコンの完成図、及び断面図を示した説明図である。
【符号の説明】
【００１５】
１    茶褐色に仕上がった八丁味噌ハム、ベーコンの表面
２    通常のハムの中心部
３    八丁味噌の味、風味が強く出ている表面より２〜１０ｍｍの外周部
【図１】
2006345725.tif 000005
(57)【要約】【課題】  コードとイヤホンの絡みを防止するイヤホン絡み防止ケースを提供する【解決手段】  中央に区切りを入れて作った２つの空間部に音声部を挿入することによりイヤホンの絡みを解消するイヤホン絡み防止ケース【選択図】    図１
2006345469.tif 000002
【特許請求の範囲】
【請求項１】
中央に区切りを入れて作った２つの空間部に音声部を挿入することによりイヤホンの絡みを解消するイヤホン絡み防止ケース。
【発明の詳細な説明】
【技術分野】
【０００１】  本発明は中央を区切ったケースにイヤホンを収納することによりコードの絡みを解消するイヤホン絡み防止ケースに関するものである。
【背景技術】
【０００２】  従来のイヤホン絡み防止策はイヤホンをオーディオ装置もしくは絡み防止ケースに固定した後、コード部分をオーディオ装置もしくは絡み防止ケースに巻きつける方法と、１対の音声部を共に固定する方法がとられている。
【参考文献１】
特開２００３−０６０７６２号広報
【参考文献２】
特開２００３−３２４７８４号広報
【参考文献３】
特開Ｈ１１−３１７９９５号広報
【参考文献４】
特開２００１−１６１４２９号広報
【参考文献５】
特開２００１−１６１４２９号広報
【参考文献６】
特開Ｈ１１−２５２６７８号広報
【参考文献７】
特開Ｈ８−２２３６８０号広報
【参考文献８】
特開Ｈ７−２５６８７号広報
【参考文献９】
実用新案３０３０４８４号広報
【参考文献１０】
特開２００４−２３５６９９号広報
【発明の開示】
【発明が解決しようとする課題】
【０００３】  その為、次のような問題点があった。
（イ）ジャックと音声部の間に存在するコードを束ねたり巻いたりする面倒な作業を繰り返すことが要求されることや、素早く使えないことでイライラが積もった。
（ロ）絡まり防止ケースとオーディオ本体を合わせるとポケットやバッグの中で大きな容積を占有する。
（ハ）音声部分を共に固定しただけでは効果が薄い。
本発明は以上の問題点を解決する為になされたものである。
【課題を解決する為の手段】
【０００４】  中央に区切りを入れて作った２つの空間部にイヤホンの音声部を挿入する。
本発明は以上を特徴とするイヤホン絡み防止ケースである。
【発明の効果】
【０００５】  音声部を、中央に区切りを入れて作ったケースに収納することにより、コードとの絡み易さが解消され、且つ従来の絡み防止策による巻いたりほどいたりという面倒な動作を繰り返すイライラがなくなり、イヤホンをストレスなく素早く使用することが出来る。又、絡まり防止ケースによるスペースの増加も殆ど無い。
【発明を実施するための最良の形態】
【０００６】  以下、本発明の実施の形態について説明する。
（イ）  柔軟性樹脂を主材として長方形状に形成した収納ケース（１）の中央部に区切り（２）を設けて空間部（３）を設ける。
（ロ）  収納ケース（１）の後面上端（７）は、前面上端（８）より高めに形成する。
（ハ）  後面上部が前面上端の延長線より折れるように折り山（６）を設けることにより、後面上部は自由に屈曲する覆部（９）を得て蓋の役目をする
本発明は以上の構成からなるもので、以下使用法について説明する。
【実施例１】  音声部（１０）を２つの空間部（３）に挿入する。この時、覆部（９）は柔軟性樹脂を用いている為、収納ケース（１）の両端を指で押すことにより上部へ跳ね上がり、空間部（３）の口が空く。その空間部（３）へ、音声部（１０）を挿入し、手を離すと元に戻ろうとする力が働き音声部（１０）を押さえ込むように蓋が出来る。この時、覆部（９）と空間部（３）との間に、コードを圧迫しない程度の隙間を確保する。
この状態でジャック（１１）を差したままオーディオ機器と一緒にポケットやバッグに保持することが出来る。又、ジャックをオーディオ機器から抜き任意の場所に保持することも出来る。
【実施例２】  本発明は柔軟性樹脂に止まらず、布や紙、皮革、人工皮革等を使用して作成することも出来る。この場合には覆部（９）が元に戻ろうとする力が働かない場合が考えられるので、その場合には面ファスナーやスナップ、ボタン等の留め具（１３）を用いて覆部（９）を前面（４）に止め付けられるようにする。
【実施例３】  前面（４）と後面（５）に同じ形と高さを持たせコード引き出し口（１４）を設けて作成することも出来る。
尚、本発明について、更に次のように創作可能である。
【実施例４】  収納ケース（１）の側部（１５）に紐通し（１６）を設けて紐（１７）を通し、紐で衣服や他の物品に連結させると収納ケースを見失うこともない。また、クリップ（１８）などを装備させると連結が更に容易になる。
【実施例５】  本発明を携帯収納用品（１９）に接合することが出来る。
【実施例６】  本発明を楕円形にしたり、ハート型にしたり、その他のキャラクターや様々な形を適用してファッション性を持たせることが出来る。
【実施例７】  本発明を筒型にして、円筒にしたり角筒にしたり、星形筒にしたりと、更に多様な展開が出来る。
【図面の簡単な説明】
【０００７】
【図１】本発明の斜視図
【図２】本発明の実施例１の使用説明図
【図３】本発明の実施例２の斜視図
【図４】本発明の実施例３の斜視図
【図５】本発明の実施例４の斜視図であり（イ）は紐通しを設けた斜視図（ロ）は紐を通してクリップを設けた斜視図
【図６】実施例５の斜視図
【図７】実施例６の斜視図であり（イ）は楕円形にした場合の斜視図（ハ）はハート型にした場合の斜視図
【図８】実施例７の斜視図であり（イ）は円筒にした場合の斜視図（ロ）は六角筒にした場合の斜視図（ハ）は星形筒にした場合の使用例の斜視図
【符号の説明】
１    収納ケース
２    区切り
３    空間部
４    前面
５    後面
６    折り山
７    後面上端
８    前面上端
９    覆部
１０  音声部
１１  ジャック
１２  コード
１３  留め具
１４  コード引き出し口
１５  側部
１６  紐通し
１７  紐
１８  クリップ
１９  オーディオ機器収納用品
【図１】
2006345469.tif 000003
【図２】
2006345469.tif 000004
【図３】
2006345469.tif 000005
【図４】
2006345469.tif 000006
【図５】
2006345469.tif 000007
【図６】
2006345469.tif 000008
【図７】
2006345469.tif 000009
【図８】
2006345469.tif 000010
(57)【要約】      （修正有）【課題】  線香の転倒防止と、未燃焼の残滓処理が容易で、浄土真宗の横臥燃焼にも略式対応できる線香立てを提供すること。【解決手段】  本体の自重と径の異なる複数の貫通孔により、簡単で安全に線香を立てることができ、本体と置台をピンで連結することにより、本体のずれ落ちを防止するとともに、未燃焼残滓の処理も簡単におこなえる。また、本体を反転（９０度）させて横貫通孔にすることにより、横臥燃焼（浄土真宗）にも略式に対応できるようにした。【選択図】  図１
2006345895.tif 000002
【特許請求の範囲】
【請求項１】
本体自重と線径の異なる複数の貫通孔により、簡単且つ安全に立てられることを特徴とした線香立て。
【請求項２】
本体と置台とをピンで連結することにより、本体の脱着が容易で、未燃焼残滓の除去が簡単であることを特徴とした線香たて。
【請求項３】
本体を反転（９０度）させ横貫通孔とすることにより、横臥燃焼（浄土真宗）にも略式対応できることを特徴とした線香立て。
【発明の詳細な説明】
【技術分野】
【０００１】
本発明は、線香立てに関するものであり、本体自重と貫通孔により、線香の転倒防止並びに火災等の安全性を高めたものである。
又、本体と置台とをピンで連結させることにより、脱着を容易にし、従来からの課題であった未燃焼残滓の除去を簡単にした。
併せて、本体を反転（９０度）させることにより、略式ながら横臥燃焼（浄土真宗）も可能にした。
【背景技術】
【０００２】
従来から、香炉に香炉灰を入れ、それに突き刺す（又は横臥させる）方法が成されてきた。  この概念にとらわれず、しかも伝統作法の良さを損なうことなく、シンプルにして誰でもが安心して使用できる線香立てが待ち望まれてきた。
参考までに、お供えする線香の本数は、一般的には１〜２本ですが、正式には各宗派で異なります。浄土宗、臨済宗、曹洞宗、日蓮宗は１本で、天台宗と真言宗は３本です。西本願寺派、真宗大谷派、真宗高田派等の浄土真宗各派では、線香を立てず適当な長さに折って火をつけ、香炉に横に寝かせます。
又、線香の長さや太さも規格統一されておらず、メーカーや宗派によってそれぞれ異なるようです。
【発明の開示】
【発明が解決しようとする課題】
【０００３】
従来の方法では、線香の転倒という問題があり、もう一つは香炉灰中の未燃焼残滓の除去（清掃）が課題であった。更に横臥燃焼（浄土真宗）への対応も必要とされてきた。
これらの不都合を解決することを課題とする。
【課題を解決するための手段】
【０００４】
この課題を解決するための請求項１の発明は、本体自重と線径の異なる複数の貫通孔により、簡単且つ安全に立てられることを特徴とした線香立てである。置台をストッパーとして線香の転倒を防止できる。
【０００５】
又、請求項２の発明は、本体と置台とをピンで連結することにより、本体の脱着が容易で、未燃焼残滓の除去が簡単であることを特徴とした線香立てである。本体と置台をピンで連結することにより、本体のずれ落ち防止と脱着を容易にし、本体とピンを同時に持ち上げることにより、未燃焼残滓の処理を簡単に行えることができる。
【０００６】
請求項３の発明は、本体を反転（９０度）させ横貫通孔とすることにより、横臥燃焼（浄土真宗）にも略式対応できることを特徴とした線香立てである。
【０００７】
体裁を構わなければ、本体と受皿だけでも使用可能である。                      
【発明の効果】
【０００８】
香炉灰を使用しないため、線香の転倒防止・未燃焼残滓の除去・横臥燃焼への対応が簡単であり、お年寄りにも安心して使っていただける。
２
【発明を実施するための最良の形態】
【０００９】
図２は、本体図である。線香の転倒を防止するには、本体の重量と貫通孔の径と深さ（長さ）が必要であり、材質的には、金属・ガラス・陶器等が考えられる。更に、図３の置台の上部平面をストッパーとして、線香を直立安定させ転倒を防止することができる。
【００１０】
図５のピン２本で、図２と図３を連結させる。本体にピンをさしたまま持ち上げれば未燃焼残滓の除去処理が簡単に行える。                                              
【００１１】
図２本体を、反転（９０度）させることにより、略式の横臥燃焼が可能となる。
この場合、図４受皿の右側部に本体・置台・ピンを縦方向にセットし、線香を折らず左から点火して右端より横貫通孔に通し、燃焼度合によりスライドさせ、受皿からはみ出さないよう調整使用する。
【産業上の利用可能性】
【００１２】
本発明に係る線香立ては、工業的に量産する事が可能であるため、産業上の利用可能性を有する。    
【図面の簡単な説明】
【００１３】
【図１】概略組立図である。
【図２】本体の概略図である。
【図３】置台の概略図である。
【図４】受皿の概略図である。
【図５】ピンの概略図である。
【符号の説明】
【００１４】
上記の通りです。
【００１５】
仮想円拡大図    本体貫通孔（３種類、９ケ）の仮想円（２５φ）上における詳細配置図です。
【図１】
2006345895.tif 000003
【図２】
2006345895.tif 000004
【図３】
2006345895.tif 000005
【図４】
2006345895.tif 000006
【図５】
2006345895.tif 000007
(57)【要約】【課題】今まで、生活習慣病の予防に役立つ荏胡麻の葉、又は胡麻の葉、又は大葉や、胃腸炎、神経痛の改善を促す森薊、又は山牛蒡は普段の食生活では、あまり使われる事がありませんでした。【解決手段】生活習慣病の予防に役立つ荏胡麻の葉、又は胡麻の葉、又は大葉や、胃腸炎や神経痛の改善を促す森薊、又は山牛蒡をおにぎりにする事で、普段の食生活で取り入れ易く、又手軽に食する事の出来る、２色すこやかおにぎりを提供する。【特許請求の範囲】
【請求項１】
生活習慣病を予防しながら、胃腸炎や神経痛の改善を促すおにぎり。
【請求項２】
荏胡麻の葉、又は胡麻の葉、大葉を酒、醤油のみで漬け込み、冷蔵保存で約３０日間寝かせる事を特徴とする。
【請求項３】
森薊又は山牛蒡を醤油又は味噌に漬け込み、冷蔵保存で約３０日間寝かせる事を特徴とする。
【請求項４】
荏胡麻の葉、又は胡麻の葉、又は大葉を醤油に漬け込む事により、風味と香りを生かし、口当たりの優しい荏胡麻の葉、又は胡麻の葉、大葉を作る事を特徴とする。
【請求項５】
請求項３の森薊、又は山牛蒡を輪切りにし、白米の中央に入れ、俵型又は三角ににぎる事を特徴とする。
【請求項６】
請求項４で作った葉で請求項５を包むように巻き上げる事を特徴とする。
【請求項７】
荏胡麻の葉、又は胡麻の葉、又は大葉を使う事により、鉄分、ビタミン、カルシウム等を豊富に摂取出来る事を特徴とする。
【請求項８】
森薊、又は山牛蒡を使う事により、薬用効果を得られ、胃腸炎神経痛等の改善、利尿作用を促す事を特徴とする。
【請求項９】
大葉に含まれるカロチンは、過酸化脂質の抑制を促すので動脈硬化症の予防に役立ち、又胃液の分泌を促すので、食欲不振を改善する事を特徴とする。
【請求項１０】
請求項１、請求項２、請求項３、請求項４、請求項５、請求項６、請求項７、請求項８までの事項により、生活習慣病の予防に役立つ、２色すこやかおにぎりが出来る事を特徴とする。
【請求項１１】
普段の食生活では、あまり食する事のなかった、荏胡麻の葉、又は胡麻の葉、又は大葉、森薊、又は山牛蒡等をおにぎりにする事により、手軽に食せる事を特徴とする。
【発明の詳細な説明】
【発明の詳細な説明】
【０００１】この発明は、おにぎりに関する。
【０００２】生活習慣病の予防に役立ち、手軽に食する事が出来るおにぎりである。
【０００３】体に不足しがちなビタミン、カルシウム、鉄等を摂取し易いおにぎりである。
【０００４】森薊、又は山牛蒡の薬用効果により、胃腸炎や神経痛の改善、利尿作用を促すおにぎりである。
【発明が解決しようとする課題】
【０００５】普段の食生活では、生活習慣病の予防に役立つ荏胡麻の葉、又は胡麻の葉、又は大葉や、薬用効果のある森薊、又は山牛蒡は、あまり使われる事がありませんでした。
そこで、この発明はおにぎりにする事により、普段の食生活でも取り入れ易く、又手軽に食せる事の出来るおにぎりを提供する事を課題とする。
【０００６】おにぎりにする事で、荏胡麻の葉、又は胡麻の葉、又は大葉や森薊、又は山牛蒡が手軽に食し易い事を特徴とする。
【０００７】荏胡麻の葉、又は胡麻の葉、又は大葉を醤油に漬け込む事により食し易い事を特徴とする。
【０００８】荏胡麻の葉、又は胡麻の葉、又は大葉に含まれる、鉄、カルシウム、ビタミンを摂取出来る事を特徴とする。
【０００９】森薊、又は山牛蒡に含まれる薬用効果により、胃腸炎や神経痛の改善や利尿作用を促す事を特徴とする。
【図面の簡単な説明】
【００１０】
【図１】この発明品を示す斜視図です。
【図１】
2006345841.tif 000002
(57)【要約】【課題】艾の有効成分を皮膚からより多く吸収させるために、皮膚を這うように煙を出させる。ベース部分から伝わる温熱を緩和に皮膚へ伝えると共にベース部分に含まれる有効成分をより多く皮膚へ吸収させる。【解決手段】任意の形状に形成した艾部分の底面から頂点へ空洞部分を作り、頂点から点火し燃焼させた場合、底面部から煙が押し出され皮膚上を這うように流れていき皮膚へ付着する。艾の燃焼と共にベース部分の温度が徐々に上昇し皮膚へ伝達され、皮膚表面の毛細血管が拡張され皮膚を透してベース部分の有効成分が身体に吸収されていく。ベースのみを皮膚上に置き、艾以外の温熱を与える方法であっても同様に、ベース部分の有効成分は身体内に吸収される。【選択図】図５
2006345878.tif 000002
【特許請求の範囲】
【請求項１】
任意の大きさの、任意の形状に形成した艾の底面から先端に近い部分までの中央部を空洞にする事により、形成された艾の先端部より点火すると燃焼することにより空洞部から底面へ煙が流出し、皮膚に向け煙が押し出され、皮膚の上を煙が這う結果となり、煙に含まれる有効成分が皮膚に付着する。付着した煙の中の有効成分は皮膚より浸透し身体に効果を与えるものである。                      
【請求項２】
生姜など任意の身体に対しての有効成分やエキスまたは細粒をゼラチン・寒天などの軟性に固まる凝固剤で固め、任意の形状にした物をベースとして、物質の燃焼による温度上昇か、温熱を発生できる波長の光や超音波等を利用し、ベースの温度を上昇させ身体に有効成分を浸透させるものである。
【発明の詳細な説明】
【技術分野】
【０００１】
本発明は、煙が皮膚の上を這い有効油分成分（チネオール）を皮膚表面に付着させ、皮膚からの吸収をより多く行わせ、また、艾の温灸の熱が緩和に皮膚に伝わり、ベースに含まれる成分を皮膚から吸収し易いようにしたものである。
【特許文献１】特開２０００−２５４２０５号公報
【特許文献２】特開１０−２１１２５１号公報
【発明の開示】
【発明が解決しようとする課題】
【０００２】
解決しようとする課題は、現在までの隔物灸として行われて来ている温熱治療は、生姜、ニンニクなどをスライスし、皮膚の上に置きその上に円錐形や円柱形・球形の艾を乗せ燃焼させるものである。隔物灸をする際、ショウガ・ニンニクのスライスか塩・ビワの葉などの上に艾を乗せて施灸していた。この場合、固形物であるため、ある程度の温度にならないと温熱が隔物へ蓄積されず、蓄積されたとたんに熱が皮膚への伝わり、皮膚面の温度上昇が急であり、隔物に含まれる成分の皮膚吸収も十分ではなかった。また、隔物の上に載せた艾の煙は上昇するのみで、艾の効果成分であるチネオールは、ほとんど身体に触れることはない。また、生姜やニンニクのスライスを身体に乗せるため、身体の平らな面の上面のみに施灸部分が限られている。
【課題を解決するための手段】
【０００３】
本発明は隔物灸や温熱治療をする際に、艾の煙が皮膚上に這うように排出されることと、ベースに柔軟性、粘性があり温灸も安定し皮膚にも密着し易く、体側面に施灸した場合でも落下しづらく、ベースの温度が上昇すると共にベースに含まれる有効成分が温熱により皮膚へ浸透すると共に、皮膚への温熱の伝達が緩和であることを特徴とする。
【発明の効果】
【０００４】
本発明の艾部分は、任意の大きさ、形に形成した艾の底面より先端に近い部分までの中央部を空洞にする事により、形成された艾の先端部より点火すると燃焼することにより空洞部より皮膚に向け煙が押し出され、皮膚の上を煙が這う結果となり、煙に含まれる有効成分が皮膚に付着する。ベースは、生姜など任意の身体に有効な成分やエキスまたは細粒をゼラチン・寒天などの軟性凝固剤で固め、任意の形状にした物であるため、温熱の伝達が低温域より皮膚へ感じさせることが出来、火傷を起こすほどの高温になる前に、温熱によりベース内部の成分が皮膚へ浸透し易い事と、柔軟性、粘性があるため体側面への温灸も可能となる。
【発明を実施するための最良の形態】
【０００５】
艾部分は、円錐形の型に艾を入れ圧し固め、底面より先端の鋭利な円錐形の物で圧し空洞部を作る。これを型から取り出し作製する。ベース部分は、ゼラチンなどを溶かした水溶液に生姜などの任意の有効成分やエキス、細粒を混入し、平らな円錐形の型などに入れ凝固させる。凝固した後型から取りだし作製する。
【実施例１】
【０００６】
身体の随意のつぼへ施灸する際には、ベースをつぼ上へ置き、皮膚へ密着させる。ベースの上へ温灸（艾）を載せ安定させる。艾部の頂点部へ点火し、燃焼が進むにつれて温灸部の底部より煙が皮膚表面へ這うように流出し皮膚へ付着する。燃焼が進み温灸ベースの温度が徐々に上昇し、熱感が強くなる前に艾部分を除去する。その後、ベースを除去すると、皮膚上のベース部分が程良く発赤しており、その周囲は艾の煙成分が皮膚へ付着している。皮膚上の発赤は皮膚毛細血管が拡張されるため起こるもので、温灸ベース中の成分が毛細血管より体内へ吸収されていくこととなる。また、煙中の成分（チネオール）は皮膚表面に付着しているためそのままにするか、皮膚を軽擦することにより、皮膚より吸収させることが可能である。
【実施例２】
【０００７】
ベースを皮膚上に密着させ、近赤外線レーザー光線などの波長や超音波で温度を上昇させても、同様に皮膚上に発赤が起こり毛細血管の拡張が起こって、ベース中の成分が吸収され易くなっている。
【実施例３】
【０００８】
体側面や上肢下肢へ使用した場合、ベースは平らな円錐形の物を使用した。はがれ落ちることなく、艾を燃焼させていても艾も落下することなく燃焼し、煙は皮膚上を這い皮膚へ付着し、ベースを密着させていた部分は、温熱の上昇は穏やかでありながら十分な熱感があり、ほんのりと発赤しベースの有効成分の吸収が達成できた。
【図面の簡単な説明】
【０００９】
【図１】本発明の円錐形にした場合の艾部分の断面図である。
【図２】本発明の円錐形にした場合の艾部分の上面図である。
【図３】本発明の円錐形にした場合の艾部分の側面図である。
【図４】本発明の円錐形にした場合の艾部分の底面図である。
【図５】本発明の使用例の斜視図である。
【図１】
2006345878.tif 000003
【図２】
2006345878.tif 000004
【図３】
2006345878.tif 000005
【図４】
2006345878.tif 000006
【図５】
2006345878.tif 000007
(57)【要約】【課題】洗濯機周辺で棚といえば洗濯機の上部空間に棚を組むものが多い。この場合、洗濯作業の邪魔、別置きの乾燥機があると棚設置は困難、棚の設置作業も容易ではないといった問題がある。洗濯機の上に直接物を置くことも考えられるが、上面が傾斜した洗濯機の場合、置いたものが滑り落ちる。洗濯槽のカビ発生防止の為、使用しない時は蓋を開けている方が良いが、その場合も上に物を置くのは難しい。【解決手段】洗濯機上面の傾斜にあわせ、高さの異なる脚、または、偏った場所に脚をもつ台を設置する事により床面と水平な面を持つ棚を作る事が可能。あらゆる傾斜角度に対応する為、脚のすべてもしくは一部に、空気の吹き込む量により、膨張、収縮させる事ができるビニール等軟質樹脂材で形成された脚を持つ。また、棚があると洗濯物の投入が面倒である為、棚として使用する面の一部に穴又は切り欠きを設ける事で棚を置いたまま洗濯物を投入可能にする。【選択図】  図１
2006345877.tif 000002
【特許請求の範囲】
【請求項１】
傾斜面に置くだけで床面と水平な面をつくる事を目的とし、脚の本数、個々の脚の高さ違いなどによって目的を達成することができる簡易的な棚であって、あらゆる傾斜角度に対応する為、脚のすべてもしくは一部に、空気の吹き込む量により、膨張、収縮させる事ができるビニール等軟質樹脂材で形成された脚を持つ棚。
【請求項２】
請求項１において、物置部に切り欠き、もしくは穴が形成されている棚。
【発明の詳細な説明】
【技術分野】
【０００１】
本発明は洗濯機の上に物を置く為の簡易的な棚に関するものである。
【背景技術】
【０００２】
洗濯機周辺で棚を必要とする時、洗濯機に洗濯物を投入する場合に仕分け作業を行う時や洗濯機は浴室の近くにある事が多い為、入浴の際、着替えやバスタオルを置く等があげられる。
【０００３】
従来、洗濯機周辺で棚といえば洗濯機の上部空間に棚を組むものが多い。
【特許文献１】登録実用新案第３０８６６５８号  図１
【発明の開示】
【発明が解決しようとする課題】
【０００４】
洗濯機の上部空間に棚を組む場合、洗濯作業の際に邪魔になる。また、別置きの乾燥機があると棚を組むのも困難である。その上、棚の設置作業を考えても誰でも簡単にできるというものではない。
【０００５】
洗濯機の上に直接物を置くことも考えられるが、縦型の洗濯機の場合、洗濯物を取り出しやすくする為に上面が傾斜しているものが多い。その為に、上に物が置きにくい。また、洗濯機の蓋を閉めたままにすると洗濯槽にカビが発生しやすいので、使用しないときは蓋を開けている事が好ましいがその場合も上に物を置くのは難しくなる。
【０００６】
本発明は、このような従来の問題点を解決しようとするもので、常に洗濯機の上部空間を占有するのではなく、大掛かりな設置作業も必要なく、棚が欲しい時に誰でも容易に、また、洗濯機の蓋を開けた状態でも使用できる棚を提供するものである。
【課題を解決するための手段】
【０００７】
前記課題解決の手段として、洗濯機上面の傾斜にあわせ、高さの異なる脚、または、偏った場所に脚をもつ台を設置することにより水平な棚を作ることができる。あらゆる傾斜角度に対応する為、脚のすべてもしくは一部に、空気の吹き込む量により、膨張、収縮させる事ができるビニール等軟質樹脂材で形成された脚を持ち、それにより、高さを調整する事ができる。また、このような棚があると洗濯物の投入が面倒である為、棚として使用する面の一部に穴または切り欠きを設ける事で棚を置いたまま洗濯物を投入可能にする。
【発明の効果】
【０００８】
上述したように、必要なときに置くだけで棚として使用できる為、誰でも設置が可能である。また、使わないときは取り除くことが容易にできる。その為、洗濯機の上部空間を占有することが無いので洗濯をする時邪魔にならず、無理な作業姿勢をとることも無い。
【０００９】
脚のすべてもしくは一部に、空気の吹き込む量により、膨張、収縮させる事ができるビニール等軟質樹脂材で形成された脚を使用することであらゆる傾斜角度に対応できる。
【００１０】
洗濯機の上に置くことで洗濯物投入の妨げとなるが、取り外すことも容易であるし、棚として使用する面の一部に穴または切り欠き部を設ける事で棚を置いたままの状態で洗濯物を投入することができる。
【実施例】
【００１１】
以下、本発明の代表的な実施形態を図に基づいて説明する。
【００１２】
図１において、１は物を置く為の板部、２はビニール等軟質樹脂材で形成され、空気の吹き込む量により、膨張、収縮できるもの脚であり、傾斜部に置いたときに１を水平に保つ為の脚である。また、３は２の中の空気量を調整する為の空気吹き込み口である。
【００１３】
洗濯機上面の傾斜角度は様々である。そのあらゆる角度に対応する為、図２に示すように傾斜面の角度に対して１を水平に保つように脚２の中の空気量を調整し、高さｈを変化させる。
【００１４】
１は本発明品を洗濯機上に設置しても洗濯物が投入しやすいように４部が切り欠かれている。
【００１５】
本発明の使用状態のイメージ図を図３に示す。
【図面の簡単な説明】
【００１６】
【図１】本発明品の全体図
【図２】本発明品の傾斜角度調整方法
【図３】本発明の使用状態を示すイメージ図
【符号の説明】
【００１７】
１    棚板
２    脚
３    空気吹き込み口
４    棚板切り欠き部
【図１】
2006345877.tif 000003
【図２】
2006345877.tif 000004
【図３】
2006345877.tif 000005
(57)【要約】【課題】  従来のペット用トイレでの、犬や猫が用を足した後で網型のスコップや割り箸その他を用いて容器全体を掘り探るようにしなければならなかったために費やす時間や手間を削減し、衛生的に処理する。【解決手段】  外部容器１の上段に取り付けた内部容器２・３の一方を前方に引き出すことによって糞便と砂・紙・木製チップ等が下部の箱形網に一次濾過される。スイッチを入れると箱形網が振動して二次濾過が行われる。内部容器と箱形網に残った固形物を処理して、外部容器下段に空の内部容器を設置し、再度箱形網を取り付ける。外部容器上段に濾過された内部容器を設置して使用する。上記動作の繰り返しであるが、濾過によって砂・紙・木製チップが汚れたり量が減少した場合は、適宜補充したり全体を入れ換える。【選択図】  図１
2006345840.tif 000002
【特許請求の範囲】
【請求項１】
内部容器の一方を引き出すことによって一次濾過を行う。
【請求項２】
電動モーターにより箱形網を作動させ二次濾過を行う。
【請求項３】
濾過済み内部容器と空内部容器は外部容器の前面開口部によって簡単に入れ変えることができる。
【請求項４】
電源に乾電池を使用しているため、充電やコンセントを要せず、設置場所を問わず移動もできる。
【発明の詳細な説明】
【技術分野】
【０００１】  本発明は、一般的に販売・普及している室内用ペットトイレに電動篩い機構を施し、砂・紙・木製チップその他からペットの糞や、尿によって固まった前記の固形物を篩い取る電動篩い機構式ペットトイレに関するものである。
【背景技術】
【０００２】  従来のペットトイレでは、砂・紙・木製チップ等から小型の網式スコップや割り箸等を用いて汚物を取り除いている。
【発明の開示】
【発明が解決しようとする課題】
【０００３】  動物の性質上、用を足した後で糞便に砂をかける為に、ペットトイレ容器の中を小型の網式スコップや割り箸等を用いて全体を掘り探すように処理しなければならず、手が汚れたり、時間を要したりする。
【課題を解決するための手段】
【０００４】  容器を上下２段の構成として、それぞれの間に糞便・その他の固形物を篩う為の箱型網を配置する。上段容器から濾過された砂・紙・木製チップ等は下段容器に落ちる。
【発明を実施するための最良の形態】
【０００５】  内部容器３を内部容器２の背面から挿入してそれぞれの前面を同一に併せる。それぞれの底部に設けられたスリットは、２．００ｃｍの間隔でずれているためこの状態では底面のスリットは閉じている。【０００６】  前項同様に、内部容器６を内部容器５の背面から挿入してそれぞれの前面を同一に併せる。【０００７】  外部容器１の正面下段の開口部に【０００５】で組み合わせた内部容器３と内部容器２を前面から挿入して前面を併せる。【０００８】  箱型網４を外部容器１の上部から箱型網受けレールに載せ、箱型網固定ピンに固定する。箱型網４は両側に設けられた横ガードによってがたつきを防止する。【０００９】  外部容器１の正面上段の開口部に【０００６】で組み合わせた内部容器６と内部容器５を前面から挿入して前面を併せる。【００１０】  糞便を処理する場合、上段に取り付けた内部容器３の取っ手Ａを前面に引き出すことによりスリットが重なり底部が解放となり箱形網４に落ちる。内部容器３の後部は、内部容器２の後部開口より１．００ｃｍ高いため、内部容器３は前面に２．００ｃｍ以上引き出されない。【００１１】  スイッチを入れるとモーターが回転しギアボックスを介してクランク部材９が、半径１．００ｃｍの軌跡で回転する。ピン接合されたスライド部材８がスリット架台１０を２．００ｃｍの行程で往復を繰り返す。スライド部材８に設けられた箱型網固定ピン７に取り付けた箱形網４が２．００ｃｍの行程で往復して糞便を濾過する。【００１２】  内部容器２，３内に残った糞便及び固形物を取り除き、外部容器１の前面上段開口部から内部容器２の取っ手Ｂにより引き出す。【００１３】  箱型網４内に残った糞便及び固形物を取り除き、外部容器１の上方に取り外す。【００１４】  濾過された砂・紙・木製チップ等が入った内部容器５，６を外部容器１の前面下段開口部から内部容器５の取っ手Ｂにより引き出す。【００１５】
【００１２】で引き出した内部容器２，３の前面を再度併せて外部容器１の前面下段に正面から挿入し、それぞれの前面を併せる。【００１６】
【０００８】と同様に箱型網４を取り付ける。【００１７】
【００１４】で取り外した内部容器５，６を外部容器１の前面上段に正面から挿入し、それぞれの前面を併せる。
【発明の効果】
電源に乾電池を使用するため設置場所を選ばずどこにでも設置でき、移動することも可能である。ギアボックスを介してモーターの駆動力を伝達させているためギア比５８．２：１でトルクを発生し重量にも耐えうる。時間や手間のかかる作業が簡単に行え清潔である。
【図面の簡単な説明】
【図１】        全体の寸法及び外観図である
【図２】        全体の平面・正面・側面図である
【図３】        部材の概略構成図である
【図４】        外部容器１の断面詳細図である
【図５】        内部容器２（５）、３（６）の平面・正面・側面図である
【図６】        内部容器２（５）、３（６）の断面詳細図である
【図７】        箱型網の平面・正面・側面図である
【図８】        駆動部品の詳細図である
【図９】        駆動原理の概略図である
【符号の説明】
１  外部容器
２  内部容器
３  内部容器
４  箱形網
５  内部容器
６  内部容器
７  箱形網固定ピン
８  スライド部材
９  クランク部材
１０  スリット架台部材
１１  モーター・ギヤボックス
【図１】
2006345840.tif 000003
【図２】
2006345840.tif 000004
【図３】
2006345840.tif 000005
【図４】
2006345840.tif 000006
【図５】
2006345840.tif 000007
【図６】
2006345840.tif 000008
【図７】
2006345840.tif 000009
【図８】
2006345840.tif 000010
【図９】
2006345840.tif 000011
(57)【要約】      （修正有）【課題】地中や地面に棲んでいる害虫が、家に上がってくるのを防ぐ方法を提供する。【解決手段】ステンレス板をＬ型に曲げて、更に下に曲げ、上部に釘穴を設け、下部にぎざぎざ５をつけ、更に部分的に接着剤４をつけ、剥離紙で覆う。上記ステンレス板を家の基礎コンクリートに釘と接着剤で取り付ける。害虫が天板２から垂直板３に下がる勢いにより、接着剤４につく。上記接着剤４より逃げた害虫は、ぎざぎざ５を嫌って家に上ってこない。【選択図】図１
2006345837.tif 000002
【特許請求の範囲】
【請求項１】
Ｌ型に曲げて更に下に曲げたステンレス板の上部に穴を下部にぎざぎざをつけたもの尚部分的に粘着剤を付け剥離紙で覆う。
【発明の詳細な説明】
【発明の詳細な説明】
この発明は、ステンレス板をＬ字型に曲げて更に下に曲げ上部に釘穴を設け下部にぎざぎざをつけ尚部分的に粘着剤をつけ剥離紙で覆う。
本発明は、このような構造であるから図１の接着板（１）を家の基礎コンクリートに釘と接着剤で取付けると図２のようになるから害虫が地面から上がって天板（２）で横に行き垂直板（３）に下がる勢により接着剤（４）に、つく逃げて下がっても、ぎざぎざに虫が腹をこすり嫌って地面に落ち家には上ってこない。
本発明のステンレス板の代わりにブリキ、鉄板其他金物を利用してもよい。
また、ぎざぎざの代わりに尖らせても良い。
【図面の簡単な説明】（図１）
本発明の斜視図である。
（図２）
本発明の使用中の側面図である。
【符号の説明】
（１）は  接着板。
（２）は  天  板。
（３）は  垂直板。
（４）は  接着剤。
（５）は  ぎざぎざ。
【図１】
2006345837.tif 000003
【図２】
2006345837.tif 000004